(57)【要約】【課題】動画と静止画の印刷指定を容易にできるようにするとともに、既存の印刷環境との親和性を高くできるようにする。【解決手段】動画ファイル、静止画ファイル、動画ファイル中の印刷対象のフレームを指定する第１の情報ファイルと、印刷対象の静止画ファイルを指定する第２の情報ファイルとを記録媒体に記録可能な映像記録装置において、前記第１の情報ファイルで指定された動画ファイル中のフレームを静止画ファイルに変換するファイル形式変換手段と、前記ファイル形式変換手段によって変換された静止画ファイルを前記第２の情報ファイルの指定に付加する指定追加手段とを設けて、動画中の所望のフレームを静止画ファイルの形式に変換するようにすることにより、既存環境に悪影響を与えることなく、動画と静止画の印刷指定を容易にできるようにする。【選択図】        図１
2004363829.tif 000002
【特許請求の範囲】
【請求項１】
動画ファイル、静止画ファイル、動画ファイル中の印刷対象のフレームを指定する第１の情報ファイルと、印刷対象の静止画ファイルを指定する第２の情報ファイルとを記録媒体に記録可能な映像記録装置であって、
前記第１の情報ファイルで指定された動画ファイル中のフレームを静止画ファイルに変換するファイル形式変換手段と、
前記ファイル形式変換手段によって変換された静止画ファイルを前記第２の情報ファイルの指定に付加する指定追加手段とを有することを特徴とする映像記録装置。
【請求項２】
動画ファイル、静止画ファイル、印刷対象の静止画ファイル及び動画ファイル中のフレームを指定する第１の情報ファイルを記録媒体に記録可能な映像記録装置であって、
前記第１の情報ファイルで指定された動画ファイル中のフレームを静止画ファイルに変換するファイル形式変換手段と、
前記ファイル形式変換手段によって変換された動画ファイル中のフレームを、前記情報ファイル中において動画の指定から静止画ファイルの指定に変更して、新たな第２の情報ファイルを生成する情報ファイル生成手段とを有することを特徴とする映像記録装置。
【請求項３】
動画ファイル、静止画ファイル、印刷対象の静止画ファイル及び動画ファイル中のフレームを指定する情報ファイルを記録媒体に記録可能な映像記録装置であって、
前記第１の情報ファイルで指定された動画ファイル中のフレームを静止画ファイルに変換するファイル形式変換手段と、
前記ファイル形式変換手段によってファイル形式が変換された前記第１の情報ファイル中の動画の指定を静止画ファイルの指定に変更するファイル指定変更手段とを有することを特徴とする映像記録装置。
【請求項４】
前記記録媒体とは異なる第２の記録媒体を有し、
前記第２の情報ファイルで指定された静止画ファイル、及び前記ファイル形式変換手段によってファイル形式が変換された静止画ファイルを前記第２の記録媒体に転送する静止画ファイル転送手段と、
前記静止画ファイル転送手段によって転送された静止画ファイルを印刷対象として指定した新たな第３の情報ファイルを生成して前記第２の記録媒体に格納する印刷指定情報ファイル格納手段とを有することを特徴とする請求項１または２に記載の映像記録装置。
【請求項５】
外部の記録装置との接続を可能にする外部接続手段を更に有し、
前記静止画ファイル転送手段は、前記指定された静止画ファイル、及び前記ファイル形式変換手段によってファイル形式が変換された静止画ファイルを、前記外部接続手段を介して前記外部の記録装置に転送するとともに、前記転送された静止画ファイルを印刷対象として指定する新たな情報ファイルを前記外部の記録装置に転送することを特徴とする請求項４に記載の映像記録装置。
【請求項６】
前記新たな情報ファイルは、印刷対象のフレームとして前記動画ファイル中の任意区間を指定可能であることを特徴とする請求項５に記載の映像記録装置。
【請求項７】
前記新たな情報ファイルは、前記指定されたフレームの印刷枚数を指定可能であることを特徴とする請求項６に記載の映像記録装置。
【請求項８】
前記新たな情報ファイルは、前記指定されたフレームの印刷形式を指定可能であることを特徴とする請求項６に記載の映像記録装置。
【請求項９】
動画ファイル、静止画ファイル、動画ファイル中の印刷対象のフレームを指定する第１の情報ファイル、印刷対象の静止画ファイルを指定する第２の情報ファイルを記録媒体に記録可能な映像記録方法であって、
前記第１の情報ファイルで指定された動画ファイル中のフレームを静止画ファイルに変換するファイル形式変換処理と、
前記ファイル形式変換処理によって変換された静止画ファイルを前記第２の情報ファイルの指定に付加する指定追加処理とを有することを特徴とする映像記録方法。
【請求項１０】
動画ファイル、静止画ファイル、印刷対象の静止画ファイル及び動画ファイル中のフレームを指定する第１の情報ファイルを記録媒体に記録可能な映像記録方法であって、
前記第１の情報ファイルで指定された動画ファイル中のフレームを静止画ファイルに変換するファイル形式変換処理と、
前記ファイル形式変換処理によって変換された動画ファイル中のフレームを、前記情報ファイル中において動画の指定から静止画ファイルの指定に変更して新たな第２の情報ファイルを生成する情報ファイル生成処理とを有することを特徴とする映像記録方法。
【請求項１１】
動画ファイル、静止画ファイル、印刷対象の静止画ファイル及び動画ファイル中のフレームを指定する情報ファイルを記録媒体に記録可能な映像記録方法であって、
前記第１の情報ファイルで指定された動画ファイル中のフレームを静止画ファイルに変換するファイル形式変換処理と、
前記ファイル形式変換処理によってファイル形式が変換された前記第１の情報ファイル中の動画の指定を静止画ファイルの指定に変更するファイル指定変更処理とを有することを特徴とする映像記録方法。
【請求項１２】
前記記録媒体とは異なる第２の記録媒体を有する装置における映像記録方法であって、
前記第１の情報ファイルで指定された静止画ファイル、及び前記ファイル形式変換手段によってファイル形式が変換された静止画ファイルを前記第２の記録媒体に転送する静止画ファイル転送処理と、
前記静止画ファイル転送処理によって転送された静止画ファイルを印刷対象として指定した新たな第３の情報ファイルを生成して前記第２の記録媒体に格納する印刷指定情報ファイル格納処理とを有することを特徴とする請求項９または１０に記載の映像記録方法。
【請求項１３】
外部の記録装置との接続を可能にする外部接続手段を更に有する装置における映像記録方法であって、
前記静止画ファイル転送処理は、指定された静止画ファイル、及び前記ファイル形式変換手段によってファイル形式が変換された静止画ファイルを、前記外部接続手段を介して前記外部の記録装置に転送するとともに、前記転送された静止画ファイルを印刷対象として指定する新たな情報ファイルを前記外部の記録装置に転送することを特徴とする請求項１２に記載の映像記録方法。
【請求項１４】
前記請求項５に記載の映像記録装置と、撮像手段とを有することを特徴とする撮像装置。
【請求項１５】
動画ファイル、静止画ファイル、動画ファイル中の印刷対象のフレームを指定する第１の情報ファイル、印刷対象の静止画ファイルを指定する第２の情報ファイルを記録媒体に記録可能な映像記録方法をコンピュータに実行させるプログラムであって、
前記第１の情報ファイルで指定された動画ファイル中のフレームを静止画ファイルに変換するファイル形式変換処理と、
前記ファイル形式変換処理によって変換された静止画ファイルを前記第２の情報ファイルの指定に付加する指定追加処理とをコンピュータに実行させることを特徴とするコンピュータプログラム。
【請求項１６】
動画ファイル、静止画ファイル、印刷対象の静止画ファイル及び動画ファイル中のフレームを指定する第１の情報ファイルを記録媒体に記録可能な映像記録方法をコンピュータに実行させるプログラムであって、
前記第１の情報ファイルで指定された動画ファイル中のフレームを静止画ファイルに変換するファイル形式変換処理と、
前記ファイル形式変換処理によって変換された動画ファイル中のフレームを、前記情報ファイル中において動画の指定から静止画ファイルの指定に変更して第２の情報ファイルを生成する情報ファイル生成処理とをコンピュータに実行させることを特徴とするコンピュータプログラム。
【請求項１７】
動画ファイル、静止画ファイル、印刷対象の静止画ファイル及び動画ファイル中のフレームを指定する情報ファイルを記録媒体に記録可能な映像記録方法をコンピュータに実行させるプログラムであって、
前記情報ファイルで指定された動画ファイル中のフレームを静止画ファイルに変換するファイル形式変換処理と、
前記ファイル形式変換処理によってファイル形式が変換された前記情報ファイル中の動画の指定を静止画ファイルの指定に変更するファイル指定変更処理とをコンピュータに実行させることを特徴とするコンピュータプログラム。
【請求項１８】
前記記録媒体とは異なる第２の記録媒体を有する装置における映像記録方法をコンピュータに実行させるプログラムであって、
前記第１の情報ファイルで指定された静止画ファイル、及び前記ファイル形式変換手段によってファイル形式が変換された静止画ファイルを前記第２の記録媒体に転送する静止画ファイル転送処理と、
前記静止画ファイル転送処理によって転送された静止画ファイルを印刷対象として指定した第３の情報ファイルを生成して前記第２の記録媒体に格納する印刷指定情報ファイル格納処理とをコンピュータに実行させることを特徴とする請求項１５または１６に記載のコンピュータプログラム。
【請求項１９】
外部の記録装置との接続を可能にする外部接続手段を更に有する装置における映像記録方法をコンピュータに実行させるプログラムであって、
前記静止画ファイル転送処理は、前記指定された静止画ファイル、及び前記ファイル形式変換手段によってファイル形式が変換された静止画ファイルを、前記外部接続手段を介して前記外部の記録装置に転送するとともに、前記転送された静止画ファイルを印刷対象として指定する新たな情報ファイルを前記外部の記録装置に転送することを特徴とする請求項１８に記載のコンピュータプログラム。
【請求項２０】
前記請求項１５〜１９の何れか１項に記載のコンピュータプログラムを格納したことを特徴とするコンピュータ読み取り可能な記憶媒体。
【発明の詳細な説明】
【０００１】
【発明の属する技術分野】
本発明は映像記録装置、撮像装置、映像記録方法、コンピュータプログラム及び記憶媒体に関し、特に、動画や静止画を記録する映像記録装置及び映像記録方法に用いて好適なものである。
【０００２】
【従来の技術】
近年、デジタル信号処理技術の進歩により、  大量のデジタル情報を高能率符号化し、シリコンメモリや小型磁気テープ、光ディスクへの記録を行なうことが可能となっている。このような技術を応用し、  容易に高品位な映像を撮影して即座に情報媒体へ記録できる撮像装置が製品化されている。
【０００３】
このような従来の撮像装置では、記録媒体に記録した静止画ファイルの印刷を容易にするため、「ＤＰＯＦ  Ｖｅｒｓｉｏｎ  １．１０  仕様書」に規格化されているように、印刷したい静止画ファイルや印刷枚数などを指定する情報ファイル（メタファイル）を記録媒体内に格納していた。
【０００４】
使用者は撮影後に、装置の操作等によって情報ファイルを直接的にあるいは間接的に編集し、印刷したい画像の指定を行なうと、この情報ファイルに対応した印刷装置では、自動的に所望の静止画だけを選んで印刷することができる。
【０００５】
また、多くのプリントショップにおいてもこの情報ファイルに対応しており、記録媒体を店に持ち込むだけで、同様に所望画像を抽出した印刷サービスを受けることができる。
【０００６】
以上のようなこのように、現在、静止画については印刷指定のための環境は非常に整った状況にあると言える。たとえば、静止画に対して印刷指定を行うものとしては、デジタルカメラ等において、ＤＰＯＦ（ｄｉｇｉｔａｌ  ｐｒｉｎｔ  ｏｒｄｅｒ  ｆｏｒｍａｔ）規格に基づいて印刷指定を行う方法が広く用いられている。この方式を開示するものとしては、特許文献１等がある。
【０００７】
しかしながら、昨今、光ディスクなどのように非常に大きな容量の記録媒体を利用し、静止画に加えて動画も記録可能な撮像装置の開発が急速に進んでいる。特に、ハイビジョンのように高精細な動画については、動画中の所望のフレームを印刷したいという要求が大きくなっている。動画像から所望の静止画像を抽出して印刷するものとしては、特許文献２等がある。
【０００８】
【特許文献１】
特開２０００−２８９２８３号公報
【特許文献２】
特開平１０−１２６７２３号公報
【０００９】
【発明が解決しようとする課題】
従来もＤＰＯＦ（ｄｉｇｉｔａｌ  ｐｒｉｎｔ  ｏｒｄｅｒ  ｆｏｒｍａｔ）を独自に拡張して、動画ファイルの印刷に対応しようという試みはあったが、既に整備されている他の機器やサービスとの互換性が問題となっていた。
【００１０】
すなわち、既存環境下で動画中の所望のフレームを印刷しようとした場合には、動画中のフレームが印刷できなかったり、あるいは、独自拡張部分が既存環境に悪影響を与えて、静止画さえも正しく印刷できなくなってしまったりする可能性すらある問題点があった。
本発明は上述の問題点にかんがみ、動画と静止画の印刷指定を容易にできるようにするとともに、既存の印刷環境との親和性を高くできるようにすることを目的とする。
【００１１】
【課題を解決するための手段】
本発明の映像記録装置は、動画ファイル、静止画ファイル、動画ファイル中の印刷対象のフレームを指定する第１の情報ファイルと、印刷対象の静止画ファイルを指定する第２の情報ファイルとを記録媒体に記録可能な映像記録装置であって、前記第１の情報ファイルで指定された動画ファイル中のフレームを静止画ファイルに変換するファイル形式変換手段と、前記ファイル形式変換手段によって変換された静止画ファイルを前記第２の情報ファイルの指定に付加する指定追加手段とを有することを特徴としている。
また、本発明の他の特徴とするところは、動画ファイル、静止画ファイル、印刷対象の静止画ファイル及び動画ファイル中のフレームを指定する第１の情報ファイルを記録媒体に記録可能な映像記録装置であって、前記第１の情報ファイルで指定された動画ファイル中のフレームを静止画ファイルに変換するファイル形式変換手段と、前記ファイル形式変換手段によって変換された動画ファイル中のフレームを、前記情報ファイル中において動画の指定から静止画ファイルの指定に変更して、新たな第２の情報ファイルを生成する情報ファイル生成手段とを有することを特徴としている。
また、本発明のその他の特徴とするところは、動画ファイル、静止画ファイル、印刷対象の静止画ファイル及び動画ファイル中のフレームを指定する情報ファイルを記録媒体に記録可能な映像記録装置であって、前記第１の情報ファイルで指定された動画ファイル中のフレームを静止画ファイルに変換するファイル形式変換手段と、前記ファイル形式変換手段によってファイル形式が変換された前記第１の情報ファイル中の動画の指定を静止画ファイルの指定に変更するファイル指定変更手段とを有することを特徴としている。
【００１２】
本発明の映像記録方法は、動画ファイル、静止画ファイル、動画ファイル中の印刷対象のフレームを指定する第１の情報ファイル、印刷対象の静止画ファイルを指定する第２の情報ファイルを記録媒体に記録可能な映像記録方法であって、前記第１の情報ファイルで指定された動画ファイル中のフレームを静止画ファイルに変換するファイル形式変換処理と、前記ファイル形式変換処理によって変換された静止画ファイルを前記第２の情報ファイルの指定に付加する指定追加処理とを有することを特徴としている。
また、本発明の他の特徴とするところは、動画ファイル、静止画ファイル、印刷対象の静止画ファイル及び動画ファイル中のフレームを指定する第１の情報ファイルを記録媒体に記録可能な映像記録方法であって、前記第１の情報ファイルで指定された動画ファイル中のフレームを静止画ファイルに変換するファイル形式変換処理と、前記ファイル形式変換処理によって変換された動画ファイル中のフレームを、前記情報ファイル中において動画の指定から静止画ファイルの指定に変更して新たな第２の情報ファイルを生成する情報ファイル生成処理とを有することを特徴としている。
また、本発明のその他の特徴とするところは、動画ファイル、静止画ファイル、印刷対象の静止画ファイル及び動画ファイル中のフレームを指定する情報ファイルを記録媒体に記録可能な映像記録方法であって、前記第１の情報ファイルで指定された動画ファイル中のフレームを静止画ファイルに変換するファイル形式変換処理と、前記ファイル形式変換処理によってファイル形式が変換された前記第１の情報ファイル中の動画の指定を静止画ファイルの指定に変更するファイル指定変更処理とを有することを特徴としている。
【００１３】
本発明の撮像装置は、前記外部接続手段を有する映像記録装置と、撮像手段とを有することを特徴としている。
【００１４】
本発明のコンピュータプログラムは、動画ファイル、静止画ファイル、動画ファイル中の印刷対象のフレームを指定する第１の情報ファイル、印刷対象の静止画ファイルを指定する第２の情報ファイルを記録媒体に記録可能な映像記録方法をコンピュータに実行させるプログラムであって、前記第１の情報ファイルで指定された動画ファイル中のフレームを静止画ファイルに変換するファイル形式変換処理と、前記ファイル形式変換処理によって変換された静止画ファイルを前記第２の情報ファイルの指定に付加する指定追加処理とをコンピュータに実行させることを特徴としている。
また、本発明の他の特徴とするところは、動画ファイル、静止画ファイル、印刷対象の静止画ファイル及び動画ファイル中のフレームを指定する第１の情報ファイルを記録媒体に記録可能な映像記録方法をコンピュータに実行させるプログラムであって、前記第１の情報ファイルで指定された動画ファイル中のフレームを静止画ファイルに変換するファイル形式変換処理と、前記ファイル形式変換処理によって変換された動画ファイル中のフレームを、前記情報ファイル中において動画の指定から静止画ファイルの指定に変更して第２の情報ファイルを生成する情報ファイル生成処理とをコンピュータに実行させることを特徴としている。
また、本発明のその他の特徴とするところは、動画ファイル、静止画ファイル、印刷対象の静止画ファイル及び動画ファイル中のフレームを指定する情報ファイルを記録媒体に記録可能な映像記録方法をコンピュータに実行させるプログラムであって、前記情報ファイルで指定された動画ファイル中のフレームを静止画ファイルに変換するファイル形式変換処理と、前記ファイル形式変換処理によってファイル形式が変換された前記情報ファイル中の動画の指定を静止画ファイルの指定に変更するファイル指定変更処理とをコンピュータに実行させることを特徴としている。
また、本発明のその他の特徴とするところは、前記記録媒体とは異なる第２の記録媒体を有する装置における映像記録方法をコンピュータに実行させるプログラムであって、前記第１の情報ファイルで指定された静止画ファイル、及び前記ファイル形式変換手段によってファイル形式が変換された静止画ファイルを前記第２の記録媒体に転送する静止画ファイル転送処理と、前記静止画ファイル転送処理によって転送された静止画ファイルを印刷対象として指定した第３の情報ファイルを生成して前記第２の記録媒体に格納する印刷指定情報ファイル格納処理とをコンピュータに実行させることを特徴としている。
また、本発明のその他の特徴とするところは、外部の記録装置との接続を可能にする外部接続手段を更に有する装置における映像記録方法をコンピュータに実行させるプログラムであって、前記静止画ファイル転送処理は、前記指定された静止画ファイル、及び前記ファイル形式変換手段によってファイル形式が変換された静止画ファイルを、前記外部接続手段を介して前記外部の記録装置に転送するとともに、前記転送された静止画ファイルを印刷対象として指定する新たな情報ファイルを前記外部の記録装置に転送することを特徴としている。
【００１５】
本発明の記憶媒体は、前記の何れかに記載のコンピュータプログラムを格納したことを特徴としている。
【００１６】
【発明の実施の形態】
次に、添付図面を参照しながら本発明の映像記録装置、撮像装置、映像記録方法、コンピュータプログラム及び記憶媒体の実施の形態について説明する。
（第１の実施の形態）
図１は、本発明の第１の実施の形態を示す映像記録装置の要部構成を表すブロック図である。図１において、１０１は撮像部、１０２は符号化部、１０３は記録部、１０４は記録媒体、１０５は制御部、１０６は操作部である。
【００１７】
本実施の形態の映像記録装置は、使用者が操作部１０６を操作して指示を与えると、それに基づいて制御部１０５が前記各部を制御して動作する。例えば、撮像操作が指示されることにより、撮像部１０１によって撮影された動画及び静止画は、符号化部１０２によって高能率符号化される。例えば、動画ならばＭＰＥＧ符号化、静止画ならばＪＰＥＧ符号化によって処理される。高能率符号化された動画及び静止画は、記録部１０３によって記録媒体１０４に記録される。
【００１８】
記録媒体１０４におけるディレクトリ構成について、図２を用いて説明する。動画ファイル２０２は動画ディレクトリ２０１に格納される。同様に、静止画ファイル２０４は静止画ディレクトリ２０３に格納される。静止画の格納形式は、一般に広く普及しているＤＣＦ規格に則ったものである。
【００１９】
第１の情報ファイル２０５は、動画の印刷指定を格納する第１の情報ファイルである。この第１の情報ファイル２０５は、本実施の形態に係る装置で新たに用いる情報ファイルであり、印刷対象の動画ファイル名、動画フォーマット、タイムスタンプ、印刷枚数、印刷形式などがパラメータとして指定されている。前記動画フォーマットとは、ＭＰＥＧやＤＶなどの符号化形式である。
【００２０】
また、タイムスタンプとは、印刷を指定するフレーム位置をあらわす時刻情報である。たとえば、動画ファイル名に“ＡＢＣ１００１．ＭＰＧ”、動画フォーマットに“ＭＰＥＧ”、タイムスタンプに“００：０１：２５：１０”、印刷枚数“２枚”、印刷形式に“通常形式”のようなパラメータが指定される。また、印刷形式のバリエーションとして、タイムスタンプの時刻から始まる任意区間の連続フレーム印刷など、動画特有の指定を取り入れることもできる。
【００２１】
ファイル２０６は、静止画の印刷指定を格納する第２の情報ファイルである。この第２の情報ファイル２０６は一般に広く普及しているＤＰＯＦ規格に則ったものである。第２の情報ファイル２０６には、印刷対象の静止画ファイル名、静止画フォーマット、印刷枚数、印刷形式などがパラメータとして指定されている。
【００２２】
動画の印刷指定を行なう第１の情報ファイル２０５は、静止画の印刷指定を行なう第２の情報ファイル２０６とは全く独立な別のファイルとして新たに追加されているのであり、従来のＤＰＯＦで規定された印刷環境に大きな悪い影響を及ぼさないものである。しかしながら、その反面、第１の情報ファイル２０５は新規規格であるため、このファイルを用いた印刷環境は非常に限られたものになってしまう。
【００２３】
そこで、本実施の形態における映像記録装置は、前記操作部１０６を用いた使用者からの指示により、あるいは制御部１０５による所定タイミングにおける制御により、第１の情報ファイル２０５における印刷指定を第２の情報ファイル２０６を用いた印刷指定に変換できるようにしている。
【００２４】
本実施の形態における印刷指定の変換の流れを図３に示すフローチャートを用いて説明する。
最初のステップＳ３０１において、第１の情報ファイル２０５を記録媒体１０４から読み出し、パラメータを解析する。
【００２５】
次に、ステップＳ３０２では、全ての変換処理が終了したか否かを判別し、処理が全て終了しておらず、途中であればステップＳ３０３に進む。
次に、ステップＳ３０３において、第１の情報ファイル２０５で指定されている動画ファイル名、動画フォーマット、タイムスタンプなどのパラメータを取得する。
【００２６】
次に、ステップＳ３０４では、パラメータに基づいて、動画ファイルから静止画ファイルへの変換処理を行なう。例えば、動画フォーマットが“ＭＰＥＧ”の動画ファイル“ＡＢＣ１００１．ＭＰＧ”の中からタイムコード“００：０１：２５：１０”が指し示すフレームを復号化した後、あらためてＪＰＥＧフォーマットの静止画ファイルとして符号化する。そして、生成された静止画ファイル“ＡＢＣ１００１．ＪＰＧ”を前記静止画ディレクトリ２０３に格納する。
【００２７】
次のステップＳ３０５では、前記第２の情報ファイル２０６にステップＳ３０４で生成した静止画ファイルの指定を追加する。すなわち、静止画ファイル名“ＡＢＣ１００１．ＪＰＧ”、静止画フォーマット“ＪＰＥＧ”というようなパラメータを新たに格納する。
【００２８】
次に、ステップＳ３０２に戻り、第１の情報ファイル２０５に指定されている動画ファイル全てについて変換処理が完了するまでステップＳ３０３〜３０５を繰り返し行なう。
【００２９】
以上の変換処理によって、第１の情報ファイル２０５に指定した動画ファイルの印刷指定から、対応する動画中のフレームのすべてが新たな静止画ファイルとして生成され、更に、この新たな静止画ファイルに対する印刷指定が第２の情報ファイル２０６に追加される。すなわち、従来のＤＰＯＦ規格の印刷指定に変換される。
【００３０】
このように、本実施の形態の映像記録装置は、一般に広く普及しているＤＰＯＦ規格に何ら不具合を与えない新たな規格で動画ファイルの印刷指定を可能にしながら、変換処理によって、従来からの標準的なＤＰＯＦ規格に準拠し、現存する様々な印刷機器やプリントサービスなどによって所望の動画及び静止画を容易に印刷することができるようにしたものである。
【００３１】
（第２の実施の形態）
続いて、本発明の第２の実施の形態について説明する。第２の実施の形態は、動画と静止画両方の印刷指定を行なうことが可能な新しく定める情報ファイルを用いる装置である。本実施の形態の装置のハード構成は、上記の実施の形態と同様であり、図１に示した映像記録装置と同様である。
【００３２】
本実施の形態の装置は、使用者が操作部１０６を操作して指示を与えると、それに基づいて制御部１０５が前記各部を制御して、前記与えられた指示に従って動作する。
【００３３】
撮像部１０１によって撮影された動画及び静止画は、符号化部１０２によって高能率符号化される。例えば、動画ならばＭＰＥＧ符号化、静止画ならばＪＰＥＧ符号化によって処理される。高能率符号化された動画及び静止画は、記録部１０３によって記録媒体１０４に記録される。
【００３４】
記録媒体１０４におけるディレクトリ構成について、図４を用いて説明する。動画ファイル４０２は動画ディレクトリ４０１に格納される。同様に、静止画ファイル４０４は静止画ディレクトリ４０３に格納される。静止画の格納形式は、一般に広く普及しているＤＣＦ規格に則ったものである。
【００３５】
ファイル４０５は動画及び静止画の印刷指定を格納する第１の情報ファイルである。このファイルは、本実施の形態に係る装置で新たに用いる情報ファイルであり、印刷対象のファイル名、画像フォーマット、タイムスタンプ、印刷枚数、印刷形式などがパラメータとして指定されている。
【００３６】
前記画像フォーマットとは、ＪＰＥＧやＭＰＥＧ、ＤＶなどの符号化形式である。また、タイムスタンプとは、動画の印刷を指定するフレーム位置を表す時刻情報である。例えば、動画の場合、ファイル名に“ＡＢＣ１００１．ＭＰＧ”、画像フォーマットに“ＭＰＥＧ”、タイムスタンプに“００：０１：２５：１０”、印刷枚数“２枚”、印刷形式に“通常形式”のように指定される。あるいは、静止画の場合、ファイル名に“ＸＹＺ０００１．ＪＰＧ”、画像フォーマットに“ＪＰＥＧ”、印刷枚数“２枚”、印刷形式に“通常形式”のように指定される。
【００３７】
動画の印刷指定を行なう第１の情報ファイル４０５は、静止画の印刷指定を行なうＤＰＯＦ規格とは全く独立な別のファイルとして新たに追加されているので、従来のＤＰＯＦで規定された印刷環境に大きな悪い影響を及ぼさないものである。しかしながら、その反面、第１の情報ファイル４０５は新規規格であるため、このファイルを用いた印刷環境は非常に限られたものになってしまう問題があった。
【００３８】
そこで、本実施の形態の映像記録装置は、前記操作部１０６を用いた使用者からの指示により、あるいは制御部１０５による所定タイミングにおける制御により、第１の情報ファイル４０５における印刷指定をＤＰＯＦ規格に則った第２の情報ファイル４０６に変換できるようにしたものである。
【００３９】
本実施の形態における変換の流れを図５に示すフローチャートを用いて説明する。
最初のステップＳ５０１において、第１の情報ファイル４０５を記録媒体１０４から読み出し、パラメータを解析する。
【００４０】
次のステップＳ５０２では、全ての変換処理が終了したか否かを判別し、処理途中であればステップＳ５０３に進む。
次に、ステップＳ５０３において第１の情報ファイル４０５で指定されているファイル名、画像フォーマット、タイムスタンプなどのパラメータを取得する。
【００４１】
次のステップＳ５０４では、パラメータに基づいて、動画ファイルから静止画ファイルへの変換処理を行なう。例えば、画像フォーマットが“ＭＰＥＧ”の動画ファイル“ＡＢＣ１００１．ＭＰＧ”の中からタイムコード“００：０１：２５：１０”が指し示すフレームを復号化した後、あらためてＪＰＥＧフォーマットの静止画ファイルとして符号化する。そして生成された静止画ファイル“ＡＢＣ１００１．ＪＰＧ”を前記静止画ディレクトリ４０３に格納する。静止画ファイルについては無変換のままである。
【００４２】
次に、ステップＳ５０５では、第２の情報ファイル４０６にステップＳ５０４で生成した静止画ファイル、あるいは無変換の静止画ファイルの指定を追加する。すなわち、静止画ファイル名“ＡＢＣ１００１．ＪＰＧ”、静止画フォーマット“ＪＰＥＧ”というようなパラメータを格納する。
【００４３】
次に、ステップＳ５０２に戻り、第１の情報ファイル４０５に指定されている画像ファイル全てについて変換処理が完了するまで前述したステップＳ５０３〜５０５を繰り返す。
【００４４】
以上の変換処理によって、第１の情報ファイル４０５に指定した動画ファイルの印刷指定から、対応する動画中のフレームすべてが新たな静止画ファイルとして生成される。更に、動画から変換された静止画ファイル及び無変換の静止画ファイルに対する印刷指定が第２の情報ファイル４０６に格納される。すなわち、従来のＤＰＯＦ規格の印刷指定に変換される。
【００４５】
このように、本実施の形態の映像記録装置は、変換処理によって、従来からの標準的なＤＰＯＦ規格に準拠し、現存する様々な印刷機器やプリントサービスなどによって所望の動画及び静止画を容易に印刷することができる。
【００４６】
（第３の実施の形態）
続いて、本発明の第３の実施の形態について説明する。この第３の実施の形態は、ＤＰＯＦ規格の情報ファイルを拡張して、動画と静止画両方の印刷指定を可能とするようにしている。本実施の形態の装置の構成は、図１に示した映像記録装置と同様の構成である。
【００４７】
本実施の形態の装置は、使用者が操作部１０６に指示を与えると、それに基づいて制御部１０５が前記各部を制御して動作が行われる。撮像部１０１によって撮影された動画及び静止画は、符号化部１０２によって高能率符号化される。
【００４８】
例えば、動画ならばＭＰＥＧ符号化、静止画ならばＪＰＥＧ符号化によって処理される。高能率符号化された動画及び静止画は、記録部１０３によって記録媒体１０４に記録される。
【００４９】
記録媒体１０４におけるディレクトリ構成について、図６を用いて説明する。動画ファイル６０２は動画ディレクトリ６０１に格納される。同様に、静止画ファイル６０４は静止画ディレクトリ６０３に格納される。静止画の格納形式は、一般に広く普及しているＤＣＦ規格に則ったものである。
【００５０】
ファイル６０６は、動画及び静止画の印刷指定を格納する情報ファイルである。このファイルは、本実施の形態に係る装置でＤＰＯＦ規格の情報ファイルを拡張したもので、印刷対象のファイル名、画像フォーマット、タイムスタンプ、印刷枚数、印刷形式などがパラメータとして指定されている。
【００５１】
画像フォーマットとは、ＪＰＥＧやＭＰＥＧ、ＤＶなどの符号化形式である。また、タイムスタンプとは、動画の印刷を指定するフレーム位置をあらわす時刻情報である。たとえば、動画の場合、ファイル名に“ＡＢＣ１００１．ＭＰＧ”、画像フォーマットに“ＭＰＥＧ”、タイムスタンプに“００：０１：２５：１０”、印刷枚数“２枚”、印刷形式に“通常形式”のように指定される。
【００５２】
あるいは、静止画の場合、ファイル名に“ＸＹＺ０００１．ＪＰＧ”、画像フォーマットに“ＪＰＥＧ”、印刷枚数“２枚”、印刷形式に“通常形式”のように指定される。静止画の指定はＤＰＯＦ規格そのものであるが、動画の指定は、は新規規格であるため、このファイルを用いた印刷環境は非常に限られたものになってしまう。
【００５３】
本実施の形態の映像記録装置は、前記操作部１０６を用いた使用者からの指示により、あるいは制御部１０５による所定タイミングにおける制御により、ファイル６０６における印刷指定をＤＰＯＦ規格準拠のファイルに変換できる。
【００５４】
本実施の形態における変換の流れを図７に示すフローチャートを用いて説明する。
最初のステップＳ７０１において、情報ファイル６０６を記録媒体１０４から読み出し、パラメータを解析する。
【００５５】
次に、ステップＳ７０２では、全ての変換処理が終了したか否かを判別し、処理途中であればステップＳ７０３に進む。
次に、ステップＳ７０３において情報ファイル６０６で指定されている動画ファイル名、動画フォーマット、タイムスタンプなどのパラメータを取得する。
【００５６】
次に、ステップＳ７０４では、パラメータに基づいて、動画ファイルから静止画ファイルへの変換処理を行なう。例えば、動画フォーマットが“ＭＰＥＧ”の動画ファイル“ＡＢＣ１００１．ＭＰＧ”の中からタイムコード“００：０１：２５：１０”が指し示すフレームを復号化した後、あらためてＪＰＥＧフォーマットの静止画ファイルとして符号化する。そして、生成された静止画ファイル“ＡＢＣ１００１．ＪＰＧ”を前記静止画ディレクトリ４０３に格納する。
【００５７】
次に、ステップＳ７０５は、前記情報ファイル６０６にステップＳ７０４で生成した静止画ファイルの指定を追加する。すなわち、静止画ファイル名“ＡＢＣ１００１．ＪＰＧ”、静止画フォーマット“ＪＰＥＧ”というようなパラメータを新たに格納する。さらに、変換の元となった動画ファイルの指定をファイル６０６から除去する。
【００５８】
次に、ステップＳ７０２に戻り、情報ファイル６０６に指定されている動画ファイル全てについて変換処理が完了するまでステップＳ７０３〜７０５の処理を繰り返す。
【００５９】
以上の変換処理によって、情報ファイル６０６に指定した動画ファイルの印刷指定から、対応する動画中のフレームすべてが新たな静止画ファイルとして生成され、更に、動画ファイルの印刷指定の代わりに、この新たな静止画ファイルに対する印刷指定が情報ファイル６０６に追加される。すなわち、従来のＤＰＯＦ規格の印刷指定に変換される。
【００６０】
このように、本実施の形態の映像記録装置は、変換処理によって、従来からの標準的なＤＰＯＦ規格に準拠し、現存する様々な印刷機器やプリントサービスなどによって所望の動画及び静止画を容易に印刷することができる。
【００６１】
（第４の実施の形態）
続いて、本発明の第４の実施の形態について説明する。第４の実施の形態は、静止画を記録可能な第２の記録媒体を具備する装置である。本実施の形態の装置は、図８に示す構成から成っている。
【００６２】
本実施の形態の映像記録装置は、使用者が操作部８０６を操作して指示を与え、それに基づいて制御部８０５が前記各部を制御して動作する。撮像部８０１によって撮影された動画及び静止画は、符号化部８０２によって高能率符号化される。例えば動画ならばＭＰＥＧ符号化され、静止画ならばＪＰＥＧ符号化によって処理される。高能率符号化された動画及び静止画は、記録部８０３によって第１の記録媒体８０４に記録される。
【００６３】
第１の記録媒体８０４におけるディレクトリ構成について、図９を用いて説明する。第１の記録媒体８０４のディレクトリ構成は、ディレクトリ９００をルートとするツリーである。動画ファイル９０２は動画ディレクトリ９０１に格納される。同様に静止画ファイル９０４は静止画ディレクトリ９０３に格納される。静止画の格納形式は、一般に広く普及しているＤＣＦ規格に則ったものである。
【００６４】
ファイル９０５は、動画及び静止画の印刷指定を格納する第１の情報ファイルである。この第１の情報ファイル９０５は、本実施の形態に係る装置で新たに用いる情報ファイルで、印刷対象のファイル名、画像フォーマット、タイムスタンプ、印刷枚数、印刷形式などがパラメータとして指定されている。
【００６５】
ここで、画像フォーマットとは、ＪＰＥＧやＭＰＥＧ、ＤＶなどの符号化形式である。また、タイムスタンプとは、動画の印刷を指定するフレーム位置をあらわす時刻情報である。たとえば、動画の場合、ファイル名に“ＡＢＣ１００１．ＭＰＧ”、画像フォーマットに“ＭＰＥＧ”、タイムスタンプに“００：０１：２５：１０”、印刷枚数“２枚”、印刷形式に“通常形式”のように指定される。あるいは、静止画の場合、ファイル名に“ＸＹＺ０００１．ＪＰＧ”、画像フォーマットに“ＪＰＥＧ”、印刷枚数“２枚”、印刷形式に“通常形式”のように指定される。
【００６６】
動画の印刷指定を行なう第１の情報ファイル９０５は、静止画の印刷指定を行なうＤＰＯＦ規格とは全く独立な別のファイルとして新たに追加されているので、従来のＤＰＯＦで規定された印刷環境に大きな悪い影響を及ぼさないものである。しかしながら、その反面、ファイル９０５は新規規格であるため、このファイルを用いた印刷環境は非常に限られたものになってしまう。
【００６７】
本実施の形態の映像記録装置は、前記操作部８０６を用いた使用者からの指示により、あるいは制御部８０５による所定タイミングにおける制御により、ファイル９０５における印刷指定から変換し、ＤＰＯＦ規格に則った一連のファイル群を第２の記録媒体８０７に生成する。
【００６８】
第２の記録媒体８０７におけるディレクトリ構成について、図９を用いて説明する。記録媒体８０７のディレクトリ構成は、ディレクトリ９１０をルートとするツリーである。静止画ファイル９１４は静止画ディレクトリ９１３に格納される。静止画の格納形式は、一般に広く普及しているＤＣＦ規格に則ったものである。また、静止画の印刷指定のための第２の情報ファイル９１６はＤＰＯＦ規格に則ったものである。
【００６９】
本実施の形態における変換の流れを図１０に示すフローチャートを用いて説明する。
最初のステップＳ１１１において、第１の情報ファイル９０６を記録媒体８０４から読み出し、パラメータを解析する。
【００７０】
次に、ステップＳ１１２では、全ての変換処理が終了したか否かを判別し、処理途中であればステップＳ１１３に進む。
次に、ステップＳ１１３において、第１の情報ファイル９０５で指定されているファイル名、画像フォーマット、タイムスタンプなどのパラメータを取得する。
【００７１】
次に、ステップＳ１１４では、パラメータに基づいて、動画ファイルから静止画ファイルへの変換処理を行なう。例えば、画像フォーマットが“ＭＰＥＧ”の動画ファイル“ＡＢＣ１００１．ＭＰＧ”の中からタイムコード“００：０１：２５：１０”が指し示すフレームを復号化した後、あらためてＪＰＥＧフォーマットの静止画ファイルとして符号化する。
【００７２】
そして、生成された静止画ファイル“ＡＢＣ１００１．ＪＰＧ”を前記静止画ディレクトリ９１３に格納する。静止画ファイルについては無変換のまま静止画ディレクトリ９１３に格納する。
【００７３】
次に、ステップＳ１１５では、第２の情報ファイル９１６にステップＳ１１４で生成した静止画ファイルあるいは、無変換の静止画ファイルの指定を追加する。すなわち、静止画ファイル名“ＡＢＣ１００１．ＪＰＧ”、静止画フォーマット“ＪＰＥＧ”というようなパラメータを格納する。
【００７４】
次に、ステップＳ１１２に戻り、情報ファイル９０５に指定されている画像ファイル全てについて変換処理が完了するまでステップＳ１１３〜１１５を繰り返す。
【００７５】
以上の変換処理によって、情報ファイル９０５に指定した動画ファイルの印刷指定から、対応する動画中のフレームのすべてが新たな静止画ファイルとして生成される。更に、動画から変換された静止画ファイル及び無変換の静止画ファイルに対する印刷指定が情報ファイル９１６に格納される。すなわち、従来のＤＰＯＦ規格の印刷指定に変換される。
【００７６】
このように、本実施の形態の映像記録装置は、変換処理によって、従来からの標準的なＤＰＯＦ規格に準拠し、現存する様々な印刷機器やプリントサービスなどによって所望の動画及び静止画を容易に印刷することができる。
【００７７】
（第５の実施の形態）
なお、図１１に示す第５の実施の形態のように、前記第２の記録媒体８０７が、通信部８０８を経由した外部の記録装置８０９に接続されている構成も本発明の範疇である。
【００７８】
さらに、上述の構成例では、  撮像装置について説明したが、入力端子から映像信号を入力して記録する映像記録装置や、同様な処理を行なう処理方法や、同様な処理工程を含む、コンピュータで読み込み可能なプログラムを格納した記憶媒体であってもまた本発明の範疇である。
【００７９】
（本発明の他の実施の形態）
本発明は複数の機器から構成されるシステムに適用しても１つの機器からなる装置に適用しても良い。
【００８０】
また、上述した実施の形態の機能を実現するように各種のデバイスを動作させるように、上記各種デバイスと接続された装置あるいはシステム内のコンピュータに対し、記憶媒体から、またはインターネット等の伝送媒体を介して上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００８１】
また、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００８２】
また、コンピュータが供給されたプログラムコードを実行することにより、上述の実施の形態で説明した機能が実現されるだけでなく、そのプログラムコードがコンピュータにおいて稼働しているＯＳ（オペレーティングシステム）あるいは他のアプリケーションソフト等と共同して上述の実施の形態で示した機能が実現される場合にもかかるプログラムコードは本発明の実施の形態に含まれることは言うまでもない。
【００８３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００８４】
【発明の効果】
以上説明したように、本発明によれば、動画ファイル、静止画ファイル、動画ファイル中の印刷対象のフレームを指定する第１の情報ファイルと、印刷対象の静止画ファイルを指定する第２の情報ファイルとを記録媒体に記録可能な映像記録装置において、前記第１の情報ファイルで指定された動画ファイル中のフレームを静止画ファイルに変換するファイル形式変換手段と、前記ファイル形式変換手段によって変換された静止画ファイルを前記第２の情報ファイルの指定に付加する指定追加手段とを設けて、動画中の所望のフレームを静止画ファイルの形式に変換するようにしたので、動画と静止画の印刷指定を容易にすることができる。これにより、動画中のフレームが印刷できなかったり、あるいは、独自拡張部分が既存環境に悪影響を与えて、静止画が正しく印刷できなくなってしまったりする不都合を無くして、既存の印刷環境との親和性を高くすることができる。
【図面の簡単な説明】
【図１】本発明の第１の実施の形態を示し、映像記録装置の構成例を示すブロック図である。
【図２】本発明の第１の実施の形態を示し、第１のディレクトリ構成例を示す図である。
【図３】本発明の第１の実施の形態を示し、印刷指定の変換の流れを説明するフローチャートである。
【図４】本発明の第２の実施の形態を示し、第２のディレクトリ構成例を示す図である。
【図５】本発明の第２の実施の形態を示し、第１の情報ファイルを第２の情報ファイルに変換する例を示すフローチャートである。
【図６】本発明の第３の実施の形態を示し、第３のディレクトリ構成例を示す図である。
【図７】本発明の第３の実施の形態を示し、印刷指定をＤＰＯＦ規格準拠のファイルに変換する手順を説明するフローチャートである。
【図８】本発明の第４の実施の形態を示し、映像記録装置の構成例を示すブロック図である。
【図９】本発明の第４の実施の形態を示し、第４のディレクトリ構成例を示す図である。
【図１０】第４の実施の形態における変換の手順を説明するフローチャートである。
【図１１】第５の実施の形態を示し、映像記録装置の構成例を示すブロック図である。
【符号の説明】
１０１  撮像部
１０２  符号化部
１０３  記録部
１０４  記録媒体
１０５  制御部
１０６  操作部
【図１】
2004363829.tif 000003
【図２】
2004363829.tif 000004
【図３】
2004363829.tif 000005
【図４】
2004363829.tif 000006
【図５】
2004363829.tif 000007
【図６】
2004363829.tif 000008
【図７】
2004363829.tif 000009
【図８】
2004363829.tif 000010
【図９】
2004363829.tif 000011
【図１０】
2004363829.tif 000012
【図１１】
2004363829.tif 000013